(57)【要約】  マルチアングルを支援するＡＶデータに関する拡張検索機能を提供するメタデータを含む記録媒体とその記録媒体を再生する再生装置及び再生方法を提供する。マルチアングルを支援するＡＶデータと、ＡＶデータに関する拡張検索機能を提供するためのメタデータとを含み、メタデータは、場面別に定義され、該当場面に適用される少なくとも一つの検索キーワード情報と、該当場面で支援されるアングルに関する情報とを含むことを特徴とする記録媒体である。また、メタデータは、該当場面の開始位置及び再生持続時間に関する情報をさらに含むことが望ましい。  これにより、マルチアングルを支援する動画データに対して、場面、登場人物、俳優または製作者が任意に定義できる検索基準による拡張検索機能を提供することができる。
2008523705.tif 000002
【特許請求の範囲】
【請求項１】
マルチアングルを支援する動画データと、
前記動画データに関する拡張検索機能を提供するためのメタデータとを含み、
前記メタデータは、場面別に定義され、対応する場面に適用される少なくとも一つの検索キーワード情報と、前記対応する場面で支援されるアングルに関する情報とを含むことを特徴とする情報記録媒体。
【請求項２】
前記メタデータは、前記対応する場面の開始位置及び再生持続時間に関する情報をさらに含むことを特徴とする請求項１に記載の情報記録媒体。
【請求項３】
前記検索キーワードは、場面の種類に関する検索キーワード、登場人物に関する検索キーワード、俳優に関する検索キーワード、製作者が任意に定義できる検索基準に関する検索キーワードのうち、少なくとも一つ以上を含むことを特徴とする請求項１に記載の情報記録媒体。
【請求項４】
前記メタデータは、前記動画データの再生単位であるプレイリストに対応する、動画データの特定位置を指示するマークの集合であるプレイリストマークに含まれていることを特徴とする請求項１に記載の情報記録媒体。
【請求項５】
前記メタデータは、前記動画データの再生単位であるプレイリストに対応する、動画データの特定位置を指示するマークの集合であるプレイリストマークと別に記録されていることを特徴とする請求項１に記載の情報記録媒体。
【請求項６】
マルチアングルを支援する動画データと前記動画データに関する拡張検索機能を提供するためのメタデータとを含み、前記メタデータは、場面別に定義され、対応する場面に適用される少なくとも一つの検索キーワード情報と、前記対応する場面で支援されるアングルに関する情報とを含む記録媒体から、前記メタデータを参照して所定の検索条件を満足させる場面を検索する検索部と、
前記検索された場面で支援されるアングル情報に対応する動画データを再生する再生部とを備えることを特徴とする再生装置。
【請求項７】
前記記録媒体から前記動画データ及び少なくとも一つの前記メタデータを読み出す読み出し部をさらに備えることを特徴とする請求項６に記載の再生装置。
【請求項８】
前記検索部は、
前記読み出し部から前記少なくとも一つのメタデータの伝達を受け、外部から受信した所定の検索条件と前記メタデータに含まれた検索キーワード情報とを比較して、前記検索条件と一致するメタデータを検索することを特徴とする請求項７に記載の再生装置。
【請求項９】
前記検索キーワードは、場面の種類に関する検索キーワード、登場人物に関する検索キーワード、俳優に関する検索キーワード、製作者が任意に定義できる検索基準に関する検索キーワードのうち、少なくとも一つ以上を含むことを特徴とする請求項７に記載の再生装置。
【請求項１０】
前記再生部は、
前記検索されたメタデータに含まれた前記対応する場面の開始位置及び再生持続時間に関する情報を利用して、前記動画データを再生することを特徴とする請求項６に記載の再生装置。
【請求項１１】
前記メタデータは、前記動画データの再生単位であるプレイアイテムの一部または少なくとも一つ以上のプレイアイテムによって決定される再生区間を定義し、
前記再生部は、前記再生区間にシングルアングルプレイアイテムとマルチアングルプレイアイテムとが存在する場合、シングルアングルプレイアイテムについては、デフォルトアングルに対応する動画データを再生し、マルチアングルプレイアイテムについては、支援されるアングルに対応する動画データを再生することを特徴とする請求項６に記載の再生装置。
【請求項１２】
所定の検索条件を入力される段階と、
マルチアングルを支援する動画データと、前記動画データに関する拡張検索機能を提供するためのメタデータとを含み、前記メタデータは、場面別に定義され、対応する場面に適用される少なくとも一つの検索キーワード情報と、前記対応する場面で支援されるアングルに関する情報とを含む記録媒体から、前記メタデータを参照して所定の検索条件を満足させる場面を検索する段階と、
前記検索された場面で支援されるアングル情報に対応する動画データを再生する段階とを含むことを特徴とする再生方法。
【請求項１３】
前記検索段階は、
前記検索条件と前記メタデータに含まれた検索キーワード情報とを比較して、前記検索条件と一致するメタデータを検索する段階を含むことを特徴とする請求項１２に記載の再生方法。
【請求項１４】
前記検索キーワードは、場面の種類に関する検索キーワード、登場人物に関する検索キーワード、俳優に関する検索キーワード、製作者が任意に定義できる検索基準に関する検索キーワードのうち、少なくとも一つ以上を含むことを特徴とする請求項１２に記載の再生方法。
【請求項１５】
前記再生段階は、
前記検索されたメタデータに含まれた前記対応する場面の開始位置及び再生持続時間に関する情報を利用して、前記動画データを再生する段階を含むことを特徴とする請求項１２に記載の再生方法。
【請求項１６】
記録されたオーディオ−ビジュアル(ＡＶ)データのデータ構造を管理するために複数層から構成された情報記録媒体において、
マルチアングルを支援するＡＶデータの記録単位である一つ以上のクリップであって、各クリップは、ＡＶデータに関するクリップＡＶストリームと、前記ＡＶデータに対応する属性に関するクリップ情報とを含む一つのオブジェクトとして具現される、クリップと、
ＡＶデータの再生単位である一つ以上のプレイリストであって、各プレイリストは、前記クリップの再生間隔に対応するプレイアイテムのセットと、前記ＡＶデータに拡張検索機能を提供するメタデータとを含む、プレイリストを含み、
前記メタデータは、場面別に定義され、対応場面に適用される少なくとも一つの検索キーワードに関する情報と、前記対応場面によって支援されるアングルに関する情報とを含むことを特徴とする情報記録媒体。
【請求項１７】
前記メタデータは、前記対応場面の開始位置及び再生デュレーション時間に関する情報をさらに含むことを特徴とする請求項１６に記載の情報記録媒体。
【請求項１８】
前記検索キーワードは、場面の種類に関する検索キーワード、前記対応場面に登場する一つ以上の登場人物に関する検索キーワード、前記対応登場人物を演技する一つ以上の俳優に関する検索キーワード、製作者が任意に定義する検索範囲に関する検索キーワードのうち、少なくとも一つを含むことを特徴とする請求項１６に記載の情報記録媒体。
【請求項１９】
前記メタデータは、プレイリスト内のプレイリストマークに含まれ、プレイリストマークは、マークの集合であり、各マークは、前記ＡＶデータの再生単位であるプレイリストに対応するＡＶデータの特定位置を指示することを特徴とする請求項１６に記載の情報記録媒体。
【請求項２０】
前記メタデータは、前記プレイリスト内にプレイリストマークと別に記録され、プレイリストマークは、マークの集合であり、各マークは、前記ＡＶデータの再生単位であるプレイリストに対応するＡＶデータの特定位置を指示することを特徴とする請求項１６に記載の情報記録媒体。
【発明の詳細な説明】
【技術分野】
【０００１】
本発明は、記録媒体に記録されたＡＶデータ(Ａｕｄｉｏ−Ｖｉｓｕａｌ  Ｄａｔａ）の再生に係り、具体的には、マルチアングルを支援する動画データに対して、多様な検索キーワードを利用して拡張検索機能を提供するメタデータを含む記録媒体とその記録媒体を再生する再生装置及び再生方法に関する。
【背景技術】
【０００２】
本発明は、マルチアングルで製作された動画データを選択的に再生できる動画データ構造において、場面単位の検索や登場人物単位の検索、または背景場所単位の検索など、ユーザが所望する検索基準によって、動画データの任意の位置を示し、該当位置に移動して再生する拡張された検索を可能にするメタデータの構造を示す。
【０００３】
ＤＶＤやブルーレイディスクのような記録媒体には、ＭＰＥＧ(Ｍｏｔｉｏｎ  Ｐｉｃｔｕｒｅ  Ｅｘｐｅｒｔｓ  Ｇｒｏｕｐ)などの標準によって圧縮符号化されたビデオ及びオーディオ、またはサブタイトルを含む動画データが記録されている。また、このような記録媒体には、動画データの符号化属性または動画データの再生順序などの付加情報がさらに記録されている。これにより、記録媒体に記録された動画は、前記の再生情報によって順次に再生されることが一般的であり、時には、ＡＶデータの再生中にチャプター単位でジャンプして再生される場合もある。
【０００４】
しかし、従来の記録媒体については、ユーザが所望する検索基準によって任意の場面にジャンプして再生できる方法が提供されていない。すなわち、場面(Ｓｃｅｎｅ)、登場人物(Ｃｈａｒａｃｔｅｒ)、背景場所(Ｌｏｃａｔｉｏｎ)、または背景音楽、小品など、ユーザが所望する検索基準によって動画データの任意の位置に移動して再生する機能は提供されず、多様な検索が困難であるという問題点があった。また、従来記録媒体では、動画データをＭＰＥＧ２標準によって圧縮符号化して多重化したため、動画の検索機能を提供するためのメタデータを含むように記録媒体を製作することが困難なだけでなく、一度製作された記録媒体は、動画データまたはメタデータを編集するか、または再使用することがほぼ不可能であるという問題点があった。
【発明の開示】
【発明が解決しようとする課題】
【０００５】
マルチアングルを支援する動画タイトルでコンテンツ製作者が動画データを場面別に分類し、各場面別にユーザが検索して再生できるメタデータを定義しようとする場合、もし一つの場面がマルチアングルから構成された動画データを一部または全部含んでいるならば、各アングルを区分してそれぞれのアングルに相応するメタデータをマッピングすることが望ましい。しかし、従来のメタデータは、マルチアングルを区分できないという問題点があった。
【０００６】
前述した問題点を解決するために本発明が解決しようとする技術的課題は、マルチアングルタイトルに記録された動画データに関する多様な検索キーワードを利用した拡張検索機能を提供するメタデータを含む記録媒体とその記録媒体を再生する再生装置及び再生方法を提供することである。また、動画データの任意の位置にジャンプして、前記任意の位置から前記動画データを再生する拡張検索機能がメタデータ構造に提供される。検索は、マルチアングルを支援する動画データが選択的に再生される動画データ構造で、場面、登場人物、バックグラウンドのようなユーザの検索基準によって行われうる。
【課題を解決するための手段】
【０００７】
前記課題を解決するための本発明の一つの特徴は、マルチアングルを支援する動画データと、前記動画データに関する拡張検索機能を提供するためのメタデータとを含み、前記メタデータは、場面別に定義され、対応する場面に適用される少なくとも一つの検索キーワード情報と、前記対応する場面で支援されるアングルに関する情報とを含むことである。
【０００８】
前記メタデータは、前記対応する場面の開始位置及び再生持続時間に関する情報をさらに含むことが望ましい。
【０００９】
前記検索キーワードは、場面の種類に関する検索キーワード、登場人物に関する検索キーワード、俳優に関する検索キーワード、製作者が任意に定義できる検索基準に関する検索キーワードのうち、少なくとも一つ以上を含むことが望ましい。
【００１０】
前記メタデータは、前記動画データの再生単位であるプレイリストに対応する、動画データの特定位置を指示するマークの集合であるプレイリストマークに含まれていることが望ましい。
【００１１】
前記メタデータは、前記動画データの再生単位であるプレイリストに対応する、動画データの特定位置を指示するマークの集合であるプレイリストマークと別に記録されていることが望ましい。
【００１２】
本発明の他の特徴は、再生装置においてマルチアングルを支援する動画データと、前記動画データに関する拡張検索機能を提供するためのメタデータとを含み、前記メタデータは、場面別に定義され、対応する場面に適用される少なくとも一つの検索キーワード情報と、前記対応する場面で支援されるアングルに関する情報とを含む記録媒体から、前記メタデータを参照して、所定の検索条件を満足させる場面を検索する検索部と、前記検索された場面で支援されるアングル情報に対応する動画データを再生する再生部とを備えることである。
【００１３】
前記再生装置は、前記記録媒体から前記動画データ及び少なくとも一つの前記メタデータを読み出す読み出し部をさらに備えることが望ましい。
【００１４】
前記検索部は、前記読み出し部から前記少なくとも一つのメタデータの伝達を受け、外部から受信した所定の検索条件と前記メタデータに含まれた検索キーワード情報とを比較して、前記検索条件と一致するメタデータを検索することが望ましい。
【００１５】
前記検索キーワードは、場面の種類に関する検索キーワード、登場人物に関する検索キーワード、俳優に関する検索キーワード、製作者が任意に定義できる検索基準に関する検索キーワードのうち、少なくとも一つ以上を含むことが望ましい。
【００１６】
前記再生部は、前記検索されたメタデータに含まれた前記対応する場面の開始位置及び再生持続時間に関する情報を利用して、前記動画データを再生することが望ましい。
【００１７】
前記メタデータは、前記動画データの再生単位であるプレイアイテムの一部または少なくとも一つ以上のプレイアイテムによって決定される再生区間を定義し、前記再生部は、前記再生区間にシングルアングルプレイアイテムとマルチアングルプレイアイテムとが存在する場合、シングルアングルプレイアイテムについては、デフォルトアングルに対応する動画データを再生し、マルチアングルプレイアイテムについては、支援されるアングルに対応する動画データを再生することが望ましい。
【００１８】
本発明のさらに他の特徴は、再生方法において、所定の検索条件を入力される段階と、マルチアングルを支援する動画データと、前記動画データに関する拡張検索機能を提供するためのメタデータとを含み、前記メタデータは、場面別に定義され、対応する場面に適用される少なくとも一つの検索キーワード情報と、前記対応する場面で支援されるアングルに関する情報とを含む記録媒体から、前記メタデータを参照して、所定の検索条件を満足させる場面を検索する段階と、前記検索された場面で支援されるアングル情報に対応する動画データを再生する段階とを含むことである。
【発明の効果】
【００１９】
本発明によれば、マルチアングルを支援する動画データに対する多様な拡張検索機能を提供するメタデータを含む記録媒体とその記録媒体を再生する再生装置及び再生方法が提供される。
【００２０】
すなわち、マルチアングルを支援する動画データの拡張検索のためにメタデータ場面を定義し、各場面別に多様な検索キーワード、エントリーポイント、及びデュレーションを定義することで、多様な検索キーワードを利用した拡張検索機能を提供できる。さらに、場面別にマルチアングルを区分するアングル数を定義して、各アングル別にも検索キーワードを適用できて、マルチアングルから構成されたマルチパスタイトルに対しても拡張検索機能を提供できる。
【発明を実施するための最良の形態】
【００２１】
以下、添付された図面を参照して本発明の望ましい実施形態について詳細に説明する。
【００２２】
図１は、記録媒体に記録されるＡＶデータの構造を示す参考図である。図１を参照するに、例えば、図９に示す媒体９１０のような記録媒体は、記録されたＡＶデータのデータ構造１００を管理するために、少なくともクリップ階層とプレイリスト階層のような複数層から構成される。データ構造１００は、動画データの記録単位である一つ以上のクリップ１１０と動画データの再生単位である一つ以上のプレイリスト１２０とを含む。
【００２３】
各クリップ１１０は、高品質動画のために、ＡＶデータストリームのためのクリップＡＶストリーム１１２と、前記ＡＶデータストリームに対応する属性のためのクリップ情報１１４とを含む一つのオブジェクトとして具現される。各プレイリスト１２０は、このようなクリップ１１０の再生間隔のセットであり、各再生間隔は、プレイアイテム１２２として言及される。各プレイリスト１２０は、ＡＶデータの特定位置を提供するためにプレイリストマーク１２４を含む。
【００２４】
クリップＡＶストリーム１１２は、クリップ単位で記録されているＡＶデータを言う。
【００２５】
通常、ＡＶデータは、連続的な空間に記録され、容量を減らすために圧縮符号化して記録される。圧縮符号化されたＡＶデータを再生するためには、圧縮されたＡＶデータの特性情報が必要である。したがって、各クリップ１１０ごとに圧縮されたＡＶデータの特性情報が記録されたクリップ情報１１４が含まれる。
【００２６】
クリップ情報１１４には、各ＡＶデータのオーディオ／ビデオ属性及び一定の区間単位でランダムアクセスが可能なエントリーポイントの位置情報を記録したエントリーポイントマップのような特性情報が記録される。動画圧縮技術として多く使われるＭＰＥＧ標準の場合、エントリーポイントは、イントラ映像の圧縮を行う“I”ピクチュアの位置情報であり、エントリーポイントマップは、再生開始後に所定の時間が経過した地点を探す時間検索に主に用いられる。
【００２７】
一方、記録媒体１００には、再生の基本単位である複数のプレイリスト１２０が記録される。プレイリスト１２０は、ＡＶデータの特定位置を指示するプレイリストマーク１２４と、ＡＶデータの再生小単位として少なくとも一つのプレイアイテム１２２とを含む。
【００２８】
プレイアイテム１２２は、クリップＡＶストリームの一部分を指示し、具体的には、クリップ情報１１４内での再生開始時間と再生終了時間とを指定して、該当ＡＶデータの一部分を指示する。したがって、プレイアイテムは、クリップ情報に含まれたエントリーポイントマップを利用して、実際ＡＶデータ内で該当部分の位置を探すことができる。
【００２９】
一般的に、ＡＶデータは、プレイリスト１２０単位で再生され、プレイリスト１２０に並んでいるプレイアイテム１２２の順序によって再生される。この時、プレイリストマーク１２４を用いて、動画ストリームの特定位置に移動してその位置から再生できる。
【００３０】
図２は、マルチアングルタイトルを支援するＡＶデータの構造を示す参考図である。
【００３１】
プレイリスト２００は、プレイアイテム２１０、アングルブロックプレイアイテム２２０、プレイアイテム２３０を含む。
【００３２】
プレイアイテム２１０は、シングルアングルプレイアイテムであり、クリップ１  ２４１を示す。
【００３３】
アングルブロックプレイアイテム２２０は、クリップ２  ２４２を示す情報２２１、クリップ３ ２４３を示す情報２２２、クリップ４  ２４４を示す情報２２３を含む。
【００３４】
プレイアイテム２３０は、クリップ５  ２４５を示す。
【００３５】
図３は、本発明の望ましい実施形態によって拡張検索機能を提供するメタデータの一実施形態である。図３を参照するに、再生単位であるプレイリスト３００には、プレイアイテム３７０、及びプレイアイテム３７０の一部または複数のプレイアイテムで定義される再生区間を含むように場面別に定義されたメタデータ３１０を含む。コンテンツ製作者は、任意に場面を区分し、各場面別に再生できる。
【００３６】
図３のプレイリスト３００は、場面１  ３２０、場面２  ３３０、場面３  ３４０に関するメタデータを含み、場面１  ３２０は、プレイアイテム３７１の一部を定義し、場面２  ３３０は、アングルブロックプレイアイテム３７２の一部を定義し、場面３  ３４０は、プレイアイテム３７３の一部を定義する。
【００３７】
プレイアイテム３７１は、クリップ１  ３８１を示し、アングルブロックプレイアイテム３７２は、クリップ２  ３８２、クリップ３  ３８３、クリップ４  ３８４を示し、プレイアイテム３７３は、クリップ５  ３８５を示す。
【００３８】
アングルブロックプレイアイテム３７２を定義する場面２  ３３０に対応するメタデータは、エレメント３５０と属性３６０とを含む。エレメント３５０は、場面の種類を示す場面タイプ３５１と、該当場面に登場する登場人物に関する情報を含む登場人物３５２、該当登場人物を演技する演技者に関する情報を含む俳優３５３のように拡張検索のための情報を含み、その他に背景音楽や撮影場所、小品など、コンテンツ製作者が任意に定義した情報を示す製作者定義エレメント３５４をさらに含んでもよう。これにより、場面、登場人物、俳優、背景場所、または背景音楽、小品など、ユーザが所望する検索基準によって、ＡＶデータの任意の位置に移動して再生でき、多様な検索が可能である。属性３６０は、該当場面の再生開始点を示すエントリーポイント３６１と、該当場面の再生持続時間を示すデュレーション３６２と、該当場面に含まれる各アングルに関する情報を示すアングル情報３６３とを含む。このように、本発明による情報記録媒体では、場面別に定義されたメタデータがアングル情報を含んでいるので、製作者はマルチアングル中でユーザに提供したいアングルに対応する場面の検索キーワード情報をメタデータに挿入することによって、ＡＶデータの場面別拡張検索時に製作者が所望するアングルに対応するＡＶデータを提供できる。
【００３９】
さらに具体的には、メタデータの場面、例えば、図３に示すような場面１  ３２０、場面２  ３３０、場面３  ３４０のデータ構造を説明する。図４は、本発明の望ましい実施形態によってマルチアングルタイトルに適用可能なメタデータの一実施形態である。
【００４０】
図４を参照するに、ユーザ入力によってＡＶデータを検索し、所望の位置から再生する拡張検索機能を提供するためのメタデータ場面、例えば、図３に示すような場面１  ３２０、場面２  ３３０、場面３  ３４０のデータ構造が示される。すなわち、場面には、多様な検索のために検索キーワードとして使用できるｓｃｅｎｔｙｐｅ３５１、ｃｈａｒａｃｔｅｒ３５２、ａｃｔｏｒ＿ａｃｔｒｅｓｓ３５３、ａｕｔｈｏｒｄｅｆ３５４情報が含まれる。また、該当場面の再生開始点を示すｅｎｔｒｙ−ｐｏｉｎｔ３６１と、該当場面の再生期間を示すｄｕｒａｔｉｏｎ３６２、特に、マルチアングルである場合、該当アングルを示すａｎｇｌｅ＿ｎｕｍｂｅｒ３６３情報が該当場面の属性として定義される。これにより、ａｎｇｌｅ＿ｎｕｍｂｅｒ３６３という属性を利用して、該当場面に含まれる各アングルに関する情報を定義することで、マルチアングルタイトルの場合にもアングル別に拡張検索機能を提供できる。
【００４１】
図５は、図４に示すメタデータをマークアップ言語で表現した一実施形態である。図５を参照するに、メタデータ場面、例えば、図３に示すような場面１  ３２０、場面２  ３３０、場面３  ３４０がＸＭＬ形態で定義された例が示される。ｓｃｅｎｅにはｓｃｅｎｅｔｙｐｅ、ｃｈａｒａｃｔｅｒ、ａｃｔｏｒ＿ａｃｔｒｅｓｓ、ａｕｔｈｏｒｄｅｆエレメントが検索キーワードとして含まれて、多様な検索キーワードを利用した拡張検索が可能である。また、ｅｎｔｒｙ＿ｐｏｉｎｔ、ｄｕｒａｔｉｏｎ、ａｎｇｌｅ＿ｎｕｍｂｅｒのような属性が含まれて、マルチアングルタイトルでも拡張検索機能を提供できる。
【００４２】
図６は、本発明の望ましい実施形態によるメタデータを利用して、マルチアングルタイトルで拡張検索機能を提供する一例を示す参考図である。図６を参照するに、マルチアングルから構成されたマルチパスタイトルの例が示される。示された例においてマルチパスタイトルは、５個のプレイアイテムから構成され、そのうち、プレイアイテム＃２は、３個のマルチアングルから構成され、プレイアイテム＃４は、４個のマルチアングルから構成される。図６の下部には、プレイアイテムの一部または複数のプレイアイテムにかけて定義される場面が示される。各場面には、該当場面を構成する動画データの拡張検索のための情報が含まれる。
【００４３】
一方、マルチアングルを支援するプレイアイテム＃２とプレイアイテム＃４では、支援される複数のアングルのうち、一つのアングルに該当するＡＶデータに対して拡張検索のための情報を定義する。
【００４４】
例えば、場面＃１の場合、再生区間がプレイアイテム＃１及びプレイアイテム＃２にかけて定義され、アングル数(ａｎｇｌｅ＃)として“３”が指定されている。ａｎｇｌｅ＿ｎｕｍｂｅｒとして指定した数字は、マルチアングルを支援するプレイアイテム部分にのみ適用され、残りの一般プレイアイテムにわたっている部分は、デフォルトアングルとして再生される。これにより、場面＃１を再生する場合、一般プレイアイテム＃１にわたっている部分では、デフォルトアングルが再生され、マルチアングルであるプレイアイテム＃２にわたっている部分では、アングル数(ａｎｇｌｅ＿ｎｕｍｂｅｒ)属性に指定した値によってアングル３が再生される。この時、場面＃１に定義された拡張検索のための検索キーワードは、マルチアングルであるプレイアイテム＃２にわたっている部分では、アングル３に対して適用される。
【００４５】
場面＃２の場合、再生区間がプレイアイテム＃２及びプレイアイテム＃３にわたって定義され、アングル数として“３”が指定されている。これにより、場面＃２を再生する場合、プレイアイテム＃２にわたっている部分では、アングル数属性に指定された値によってアングル３が再生され、プレイアイテム＃３にわたっている部分は、デフォルトアングルとして再生される。
【００４６】
同様の方式で場面３の場合、再生区間がプレイアイテム＃２からプレイアイテム＃４までかけており、アングル数は、(３，３）が指定されている。これにより、マルチアングルであるプレイアイテム＃２部分では、一番面の指定値によってアングル３を基準に検索キーワードが適用されて拡張検索され、シングルアングルであるプレイアイテム＃３では、デフォルトアングルを基準に検索キーワードが適用されて拡張検索され、マルチアングルであるプレイアイテム＃４では、アングル数の二番目の指定値によってアングル３を基準に検索キーワードが適用されて拡張検索される。
【００４７】
場面＃４の場合、再生区間がプレイアイテム＃２からプレイアイテム＃４までかけており、アングル数は、４が指定されている。これにより、マルチアングルであるプレイアイテム＃２部分では、アングル４がないので、デフォルトアングルとしてアングル１を基準に検索キーワードが適用されて拡張検索され、シングルアングルであるプレイアイテム＃３では、デフォルトアングルを基準に検索キーワードが適用されて拡張検索され、マルチアングルであるプレイアイテム＃４では、アングル数の指定値によってアングル４を基準に検索キーワードが適用されて拡張検索される。
【００４８】
前述のように場面別に定義されたメタデータを利用すれば、マルチアングルタイトルの場合にも指定された検索キーワードによる多様な拡張検索機能を提供できる。
【００４９】
図７Ａは、本発明の一例によってメタデータがプレイリストマークに含まれた形態を示す。図７Ａを参照するに、本発明による記録媒体７００は、記録単位としてクリップＡＶストリーム１１２及びクリップ情報１１４を含むクリップ３８０と、プレイアイテム（ＰｌａｙＩｔｅｍ）３７１、３７２、３７３を含む再生単位としてのプレイリスト（ＰｌａｙＬｉｓｔ）３００とを含む。また、プレイリストマーク（ＰｌａｙＬｉｓｔＭａｒｋ）３９０と、本発明による検索基準としてのメタデータ３１０とを含む。プレイリストマーク３９０及びプレイアイテム３７１、３７２、３７３は、図１を参照して説明した通りである。
【００５０】
メタデータ３１０は、ユーザが要求する多様な検索基準による検索機能を提供するために、所定の検索基準による検索キーワード情報及びＡＶデータの位置情報を含む。メタデータ３１０は、プレイアイテム３７１、３７２、３７３及びクリップ情報１１４を参照して、正確なＡＶデータの位置を指示している。これにより、メタデータ３１０に含まれた検索情報によって多様な検索機能が提供される。本発明の一例は、メタデータ３１０がプレイリストマーク３９０内に含まれた場合を示す。
【００５１】
図７Ａを参照するに、プレイリスト３００は、プレイリストマーク３９０及び少なくとも一つのプレイアイテム３７１、３７２、３７３を含み、拡張検索機能を提供するためのメタデータ３１０は、プレイリストマーク３９０に含まれる。
【００５２】
プレイアイテム３７１、３７２、３７３は、前述のようにＡＶデータの一部分の再生のための情報を記録する。
【００５３】
プレイリストマーク３９０は、チャプター転換時に使われるマーク、静止映像の転換時点を示すマーク、再生時点を示すマークを含む。これにより、指定された時点の再生位置を探索できる。しかし、プレイリストマーク３９０は、ユーザが所望する場面別、登場人物別、撮影場所別など、多様な検索基準による検索及び再生機能を提供できない。
【００５４】
これに対して、メタデータ３１０は、ユーザが所望する場面別、登場人物別、撮影場所別などの多様な検索基準による拡張検索機能を提供し、特に、本発明によってマルチアングルプレイアイテムについては、特定アングル情報を提供する。メタデータ３１０は、拡張検索機能を提供するための情報であり、検索キーワード情報及び位置情報を含む。検索キーワード情報は、所定の検索基準と比較されてユーザが所望する検索基準に一致するメタデータ３１０を含むプレイリストマーク３９０を探索するために使われ、一致するプレイリストマーク３９０が発見されれば、これに含まれた位置情報を参照して対応するＡＶデータの位置を探して再生できる。そして、本発明によってメタデータ３１０が特定アングル情報を含んでいれば、そのアングル情報に対応するＡＶデータの位置を探して再生できる。
【００５５】
図７Ｂは、図７Ａに示す形態でプレイリストマーク３９０の構文構造の一例を示す図である。図７Ｂを参照するに、プレイリストマーク３９０には、一つのプレイリスト３００に定義されたプレイリストマークの数を示すｎｕｍｂｅｒ＿ｏｆ＿ＰｌａｙＬｉｓｔ＿ｍａｒｋｓと各プレイリストマーク３９０のデータ長さを表すｌｅｎｇｔｈとが含まれる。
【００５６】
各プレイリストマーク３９０は、拡張検索機能を提供するための検索キーワード情報７１０として、所定の検索条件と比較される検索キーワード(ｍａｒｋ＿ｔｙｐｅ)と、メタデータの検索キーワードに関する検索キーワード値及び／または検索キーワードに関する付加情報を示すメタ情報(ｍｅｔａ＿ｉｎｆｏｒｍａｔｉｏｎ)とを含む。
【００５７】
また、各プレイリストマーク３９０は、検索結果によってＡＶデータから該当位置を探索するための位置情報７２０として、プレイアイテムの識別子(ｒｅｆ＿ｔｏ＿ＰｌａｙＩｔｅｍ＿ｉｄ)と、タイムスタンプデータ(ｍａｒｋ＿ｔｉｍｅ＿ｓｔａｍｐ)とを含む。
【００５８】
これにより、外部から特定検索条件が受信されれば(例えば、ユーザが所定の検索条件を入力する場合)、本発明による再生装置は、プレイリストマーク３９０に含まれたメタデータ３１０を参照して受信された検索条件に該当するマークを検索し、同じ条件のマークが検索された場合、検索されたマークの位置情報７２０であるプレイアイテム識別子とタイムスタンプデータとを利用して、ＡＶデータを保存したクリップ内の対応位置に移動して該当位置から再生する。
【００５９】
図８Ａは、本発明の他の例によってメタデータ３１０がプレイリストマーク３９０と別途に存在する形態を示す。図８Ａを参照するに、本発明の一例による記録媒体８００は、クリップＡＶストリーム１１２とクリップ情報１１４とを含むクリップ３８０と、図７Ａを参照して説明したところと同様に、プレイアイテム３７１、３７２、３７３を含むプレイリスト３００とを含む。しかし、図７Ａに示す例とは違って、プレイリストマーク３９０と別途に定義されたメタデータ３１０が示されている。すなわち、プレイリスト３００に、プレイリストマーク３９０とは独立的に記録されたメタデータ３１０が含まれる。メタデータ３１０に含まれる各メタ情報項目は、前述のようにプレイアイテム３７１、３７２、３７３の識別子とクリップ情報１１４とを参照して、ＡＶデータ内の正確な位置を指示する。
【００６０】
図８Ａを参照するに、プレイリスト３００は、プレイリストマーク３９０及び少なくとも一つのプレイアイテム３７１、３７２、３７３を含む。また、拡張検索機能を提供するためのメタデータ３１０がプレイリストマーク３９０とは独立的にプレイリストに含まれる。
【００６１】
プレイリストマーク３９０及びプレイアイテム３７１、３７２、３７３は、図１を参照して説明した通りである。
【００６２】
図８Ｂは、図８Ａに示す形態によるメタデータを示す。図８Ｂを参照するに、メタデータ３１０を具現するために、ＭｅｔａＩｎｆｏｒｍａｔｉｏｎというデータ構造が定義される。ＭｅｔａＩｎｆｏｒｍａｔｉｏｎというデータ構造では、メタデータを構成するそれぞれの検索対象を示す単位として、項目という用語が使われる。
【００６３】
ＭｅｔａＩｎｆｏｒｍａｔｉｏｎデータ構造では、一つのプレイリストに定義されたあらゆるメタデータ項目の数を示すｎｕｍｂｅｒ＿ｏｆ＿ＰｌａｙＬｉｓｔ＿ｉｔｅｍｓと、各メタデータ３１０の長さを表すｌｅｎｇｔｈ情報とが含まれる。
【００６４】
各メタデータ項目には、拡張検索機能を提供するための検索キーワード情報８１０として、所定の検索条件と比較された検索キーワード(ｉｔｅｍ＿ｔｙｐｅ)、メタデータの検索キーワードに関する検索キーワード値及び／または検索キーワードに関する付加情報を示すメタデータ(ＭｅｔａＩｎｆｏ)、メタデータの長さを示す長さ情報(ＭｅｔａＩｎｆｏ＿ｌｅｎｇｔｈ)が含まれる。また、各メタデータ項目には、検索結果によってＡＶデータから該当位置を探索するための位置情報として、プレイアイテムの識別子(ｒｅｆ＿ｔｏ＿ＰｌａｙＩｔｅｍ＿ｉｄ)とタイムスタンプデータ(ｍａｒｋ＿ｔｉｍｅ＿ｓｔａｍｐ)とが含まれる。
【００６５】
ユーザから入力された検索条件と一致するメタデータ項目を検索する過程で、メタデータ３１０がプレイリストマーク３９０に含まれている方式によれば、プレイリストマークデータを全て検索したが、メタデータ３１０が別途に記録されている方式は、プレイリストマーク３９０とは独立的に記録されたメタデータ３１０を検索することで、検索の効率を高めることができる。
【００６６】
また、別途のメタデータ構造を定義することで、従来のプレイリストマーク構造にメタデータを記録するためのフィールドを追加する方式で引き起こされるいろいろな制限事項を除去できるという長所がある。
【００６７】
以上、前述のように、本発明の望ましい実施形態による記録媒体は、ＡＶデータ及び所定の検索条件を満足させるＡＶデータの位置を探索して再生できるように、ＡＶデータの検索基準として使われる複数のメタデータを含みうる。これにより、多様な検索基準による拡張検索機能を提供できる。
【００６８】
また、本発明による記録媒体は、その再生装置への挿入と離脱が容易な着脱式であり、再生装置の光学装置を利用してデータを読み出すことができる光ディスクであることが望ましい。例えば、ＣＤ−ＲＯＭ、ＤＶＤのような光ディスクが含まれ、以後開発される光ディスクが含まれてもよい。
【００６９】
以下では、前述のデータ構造を有するメタデータを含む記録媒体を再生する再生装置について説明する。
【００７０】
図９は、本発明による再生装置の概略図である。図９を参照するに、本発明による再生装置は、読み出し部９２０、バッファ部９３０、検索部９４０、再生部９５０を備える。
【００７１】
読み出し部９２０は、本発明による記録媒体９１０からＡＶデータ及び少なくとも一つのメタデータ３１０を読み出す。
【００７２】
バッファ部９３０は、読み出し部９２０から読み出されたＡＶデータ及びメタデータ３１０を一時保存し、再生部９５０にそのデータを伝達する役割を行う。本発明による再生装置９００は、読み出し部９２０の性能が高くてバッファリングする必要のない場合には、バッファ部９３０を備えなくてもよい。
【００７３】
検索部９４０は、ＡＶデータの検索基準として使われる複数のメタデータを含む記録媒体９１０から、メタデータ３１０を参照して外部から受信した所定の検索条件を満足させるＡＶデータの位置を探索する。
【００７４】
すなわち、検索部９４０は、読み出し部９２０からメタデータ３１０を伝達され、外部から受信した所定の検索条件と伝達されたメタデータ３１０に含まれた検索キーワード情報とを比較して、検索条件と一致するメタデータ項目またはプレイリストマーク３９０に含まれたＡＶデータの位置情報を再生部９５０に伝達する。特に、本発明によって検索部９４０は、検索時、メタデータ３１０に含まれているアングル情報によるＡＶデータを基準に拡張検索を行って、検索されたＡＶデータに関する情報を再生部９５０に伝達する。
【００７５】
再生部９５０は、検索部９４０から受信されたメタデータ項目または探索されたＡＶデータの位置情報に基づいて、対応する部分のＡＶデータを再生する。
【００７６】
前記のような構成に基づき、本発明によるメタデータを含む記録媒体を再生する方法を説明すれば、次の通りである。
【００７７】
図１０は、本発明による再生方法を示すフローチャートである。図１０を参照するに、拡張検索機能を提供するメタデータ３１０を含む記録媒体を再生するために、まず、所定の検索条件を入力され(１０１０)、ＡＶデータ及び所定の検索条件を満足させるＡＶデータの位置を探索するために使われる少なくとも一つのメタデータ３１０を含む記録媒体から、メタデータ３１０を参照してメタデータ３１０が持っているアングル情報によるＡＶデータを対象に検索条件を満足させるＡＶデータの位置を探索した後(１０２０)、探索されたメタデータ３１０に対応するＡＶデータの位置から前記ＡＶデータを再生する(１０３０)。
【００７８】
一方、本発明による拡張検索方法は、コンピュータプログラムとして作成可能である。前記プログラムを構成するコード及びコードセグメントは、当分野のプログラマーによって容易に推論可能である。また、前記プログラムは、コンピュータで読み取り可能な情報記録媒体に保存され、コンピュータによって読み取られ実行されることによって、拡張検索方法を具現する。前記情報記録媒体は、磁気記録媒体、光記録媒体、及びキャリアウェーブ媒体を含む。
【００７９】
これまで本発明についてその望ましい実施形態を中心に説明した。当業者ならば、本発明が本発明の本質的な特性から逸脱しない範囲で変形された形態で具現できるということを理解できるであろう。例えば、メタデータが、図３、図７Ａ−７Ｂ、図８Ａ−８Ｂに示す方法のようにプレイリストに含まれる限り、いかなるコンピュータで読み取り可能な媒体またはデータ記録装置でも利用できる。また、メタデータは、図３または図４に示すものと異なって構成されてもよい。また、図９に示す再生装置は、記録装置の一部として具現されるか、選択的に記録及び／または再生機能を行う単一装置として具現されうる。同様に、ＣＰＵは、図１０を参照して説明したような方法を行うようにプログラムされた、ファームウェアを持つチップセット、または選択的に一般目的用または特殊目的用のコンピュータとして具現できる。したがって、開示された実施形態は、限定的な観点ではなく、説明的な観点で考慮されねばならない。したがって、本発明の範囲は、前述した実施形態に限定されず、特許請求の範囲に記載された内容と同等な範囲内にある多様な実施形態が含まれると解釈されねばならない。
【図面の簡単な説明】
【００８０】
【図１】従来の動画データの構造を示す参考図である。
【図２】従来のマルチアングルタイトルを支援する動画データの構造を示す参考図である。
【図３】本発明の望ましい実施形態によって拡張検索機能を提供するメタデータの一実施形態である。
【図４】本発明の望ましい実施形態によってマルチアングルタイトルに適用可能なメタデータの一実施形態である。
【図５】図４に示すメタデータをマークアップ言語で表現した一実施形態である。
【図６】本発明の望ましい実施形態によるメタデータを利用して、マルチアングルタイトルで拡張検索機能を提供する一例を示す参考図である。
【図７Ａ】プレイリストマークにメタデータが含まれた形態を示す図である。
【図７Ｂ】図７Ａに示す形態でプレイリストマークの構文構造の一例を示す図である。
【図８Ａ】プレイリストマークとメタデータとが別途に存在する形態を示す図である。
【図８Ｂ】図８Ａに示す形態によるメタデータ示す。
【図９】本発明による再生装置の概略図である。
【図１０】本発明による再生方法のフローチャートである。
【図１】
2008523705.tif 000003
【図２】
2008523705.tif 000004
【図３】
2008523705.tif 000005
【図４】
2008523705.tif 000006
【図５】
2008523705.tif 000007
【図６】
2008523705.tif 000008
【図７Ａ】
2008523705.tif 000009
【図７Ｂ】
2008523705.tif 000010
【図８Ａ】
2008523705.tif 000011
【図８Ｂ】
2008523705.tif 000012
【図９】
2008523705.tif 000013
【図１０】
2008523705.tif 000014
【国際調査報告】
2008523705.tif 000015
2008523705.tif 000016